(57)【要約】【課題】文字入力の機能とは異なる機能を割り当てたキーボード上の一部のキーの操作性を向上することが可能な電子機器を提供すること。【解決手段】文字入力用の複数のキーが配置されたキーボードを備えた電子機器であって、前記キーボードにおいてキー入力されたキーに割り当てられた機能に応じた処理を実行する操作制御部を含み、前記操作制御部は、所与の割当変更条件が満たされた場合に、前記キーボード上の一部のキーに割り当てる機能を、文字入力の機能とは異なる機能に変更する処理を行い、前記キーボード上の一部のキーは、キーの高さ又はキートップの形状が他のキーとは異なるように形成されている。【選択図】図２
2013201636.tif 000002
【特許請求の範囲】
【請求項１】
文字入力用の複数のキーが配置されたキーボードを備えた電子機器であって、
前記キーボードにおいてキー入力されたキーに割り当てられた機能に応じた処理を実行する操作制御部を含み、
前記操作制御部は、
所与の割当変更条件が満たされた場合に、前記キーボード上の一部のキーに割り当てる機能を、文字入力の機能とは異なる機能に変更する処理を行い、
前記キーボード上の一部のキーは、他のキーと識別可能に形成されている、電子機器。
【請求項２】
請求項１に記載の電子機器であって、
前記操作制御部は、
所与の割当変更条件が満たされた場合に、前記キーボード上の一部のキーに割り当てる機能を、方向キーとしての機能に変更する処理を行う、電子機器。
【請求項３】
請求項１又は２に記載の電子機器であって、
前記電子機器は、使用者の頭部に装着された状態において使用者に虚像を視認させる画像表示部を備えた頭部装着型表示装置であり、
前記キーボードは、前記画像表示部を制御するコントローラーに設けられている、電子機器。
【請求項４】
請求項３に記載の電子機器であって、
前記画像表示部は、使用者が前記虚像と外界像とを同時に視認可能に構成され、
前記キーボード上の一部のキーに割り当てる機能が変更された場合に、前記画像表示部における前記外界像の視認性を変化させる制御を行う表示制御部を更に含む、電子機器。
【請求項５】
請求項４に記載の電子機器であって、
前記表示制御部は、
前記キーボード上の一部のキーに文字入力の機能が割り当てられた場合には、前記外界像の視認性を向上させる制御を行い、前記キーボード上の一部のキーに文字入力の機能とは異なる機能が割り当てられた場合には、前記外界像の視認性を低下させる制御を行う、電子機器。
【請求項６】
請求項４又は５に記載の電子機器であって、
前記表示制御部は、
前記外界像として視認される前記キーボードと前記虚像との位置関係に応じて前記外界像の視認性を変化させる制御を行う、電子機器。
【請求項７】
請求項６に記載の電子機器であって、
前記表示制御部は、
前記キーボード上の一部のキーに文字入力の機能が割り当てられ、且つ、前記外界像として視認される前記キーボードと前記虚像とが重複する位置関係である場合に、前記外界像の視認性を向上させる制御を行う、電子機器。
【請求項８】
請求項１乃至７のいずれか１項に記載の電子機器であって、
前記キーボード上の一部のキーは、キーの高さ又はキートップの形状が他のキーとは異なるように形成されている、電子機器。
【発明の詳細な説明】
【技術分野】
【０００１】
本発明は、文字入力用の複数のキーが配置されたキーボードを備えた電子機器に関する。
【背景技術】
【０００２】
電子機器には、入力機器として、文字入力用のキーボードに加えて、十字キー（方向キー）や機能ボタン等といった特殊な機能を有する特殊キーを必要とするものがある。このような電子機器用の入力機器として、十字キーが設けられたハウジングと、キーボードが設けられたハウジングと、機能ボタンが設けられたハウジングとを備え、それらが互いに脱着可能に構成されたコントローラーが知られている（特許文献１参照）。
【先行技術文献】
【特許文献】
【０００３】
【特許文献１】特開２００４−２０１７２８号公報
【発明の概要】
【発明が解決しようとする課題】
【０００４】
上記コントローラーは、３つのハウジングに分かれているため携帯性が悪く携帯可能な電子機器には適さない。また、キーボードの大型化を防ぎつつ特殊キーを使用可能とするために、キーボード上の一部のキーに特殊キーとしての機能を割り当てるといった手法が考えられる。しかしながら、一般にキーボードは類似する形状のキーが隣接して配置される構成であるため、単に機能の割り当てを変更するだけでは、キーボード上のキーを直視せずに特殊キーとしての機能を割り当てられたキーを操作することは困難である。
【０００５】
本発明はこのような問題点に鑑みてなされたものである。本発明のいくつかの態様によれば、文字入力の機能とは異なる機能を割り当てたキーボード上の一部のキーの操作性を向上することが可能な電子機器を提供することができる。
【課題を解決するための手段】
【０００６】
（１）本発明は、文字入力用の複数のキーが配置されたキーボードを備えた電子機器であって、前記キーボードにおいてキー入力されたキーに割り当てられた機能に応じた処理を実行する操作制御部を含み、前記操作制御部は、所与の割当変更条件が満たされた場合に、前記キーボード上の一部のキーに割り当てる機能を、文字入力の機能とは異なる機能に変更する処理を行い、前記キーボード上の一部のキーは、他のキーと識別可能に形成されている。
【０００７】
本発明によれば、所与の割当変更条件が満たされた場合に、前記キーボード上の一部のキーに割り当てる機能を、文字入力の機能とは異なる機能に変更する処理を行い、当該キーボード上の一部のキーを他のキーと識別可能に形成することで、当該キーボード上の一部のキーの操作性を向上することが可能な電子機器を提供することができる。
【０００８】
（２）この電子機器は、前記操作制御部は、所与の割当変更条件が満たされた場合に、前記キーボード上の一部のキーに割り当てる機能を、方向キーとしての機能に変更する処理を行ってもよい。
【０００９】
本発明によれば、所与の割当変更条件が満たされた場合に、前記キーボード上の一部のキーに割り当てる機能を、方向キーとしての機能に変更する処理を行い、当該キーボード上の一部のキーを他のキーと識別可能に形成することで、当該キーボード上の一部のキーの操作性を向上することが可能な電子機器を提供することができる。
【００１０】
（３）この電子機器は、使用者の頭部に装着された状態において使用者に虚像を視認させる画像表示部を備えた頭部装着型表示装置であり、前記キーボードは、前記画像表示部を制御するコントローラーに設けられていてもよい。
【００１１】
本発明によれば、文字入力の機能とは異なる機能（例えば、方向キーとしての機能）を割り当てられるキーボード上の一部のキーの操作性を向上することが可能な頭部装着型表示装置を提供することができる。
【００１２】
（４）この電子機器は、前記画像表示部は、使用者が前記虚像と外界像とを同時に視認可能に構成され、前記キーボード上の一部のキーに割り当てる機能が変更された場合に、前記画像表示部における前記外界像の視認性を変化させる制御を行う表示制御部を更に含んでもよい。
【００１３】
本発明によれば、例えば、キーボードを直視しなければキー入力を行うことが困難な場合（キーボード上の全てのキーに文字入力の機能を割り当てた場合）には、外界像であるキーボードの視認性を向上させ、キーボード１６を直視しなくても文字入力の機能とは異なる機能を割り当てた一部のキーの操作を容易に行うことができる場合には、外界像の視認性を低下させて虚像の視認性を向上させることができ、利便性を向上することができる。
【００１４】
（５）この電子機器は、前記表示制御部は、前記キーボード上の一部のキーに文字入力の機能が割り当てられた場合には、前記外界像の視認性を向上させる制御を行い、前記キーボード上の一部のキーに文字入力の機能とは異なる機能が割り当てられた場合には、前記外界像の視認性を低下させる制御を行ってもよい。
【００１５】
本発明によれば、キーボードを直視しなければキー入力を行うことが困難な場合（キーボード上の全てのキーに文字入力の機能を割り当てた場合）には、外界像であるキーボードの視認性を向上させ、キーボード１６を直視しなくても文字入力の機能とは異なる機能を割り当てた一部のキーの操作を容易に行うことができる場合には、外界像の視認性を低下させて虚像の視認性を向上させることができ、利便性を向上することができる。
【００１６】
（６）この電子機器は、前記表示制御部は、前記外界像として視認される前記キーボードと前記虚像との位置関係に応じて前記外界像の視認性を変化させる制御を行ってもよい。
【００１７】
（７）この電子機器は、前記表示制御部は、前記キーボード上の一部のキーに文字入力の機能が割り当てられ、且つ、前記外界像として視認される前記キーボードと前記虚像とが重複する位置関係である場合に、前記外界像の視認性を向上させる制御を行ってもよい。
【００１８】
本発明によれば、キーボードを直視しなければキー入力を行うことが困難な場合（キーボード上の全てのキーに文字入力の機能を割り当てた場合）であり、且つ、外界像であるキーボードと虚像が重複する場合に、外界像であるキーボードの視認性を向上させることができ、利便性を向上することができる。
【００１９】
（８）この電子機器は、前記キーボード上の一部のキーは、キーの高さ又はキートップの形状が他のキーとは異なるように形成されていてもよい。
【００２０】
本発明によれば、文字入力の機能とは異なる機能を割り当てられるキーボード上の一部のキーの操作性を向上することができる。
【図面の簡単な説明】
【００２１】
【図１】本実施形態に係る頭部装着型表示装置（電子機器）の構成の一例を示す外観図。
【図２】制御部（コントローラー）に設けられたキーボードの構成の一例を示す図。
【図３】制御部（コントローラー）に設けられたキーボードの構成の他の例を示す図。
【図４】本実施形態に係る頭部装着型表示装置の構成を機能的に示す機能ブロック図。
【図５】使用者に視認される虚像の一例を示す説明図。
【発明を実施するための形態】
【００２２】
以下、本発明の好適な実施形態について図面を用いて詳細に説明する。なお、以下に説明する実施形態は、特許請求の範囲に記載された本発明の内容を不当に限定するものではない。また以下で説明される構成の全てが、本発明の必須構成要件であるとは限らない。
【００２３】
図１は、本実施形態に係る頭部装着型表示装置（電子機器の一例）の構成の一例を示す外観図である。
【００２４】
頭部装着型表示装置１００は、頭部に装着する表示装置であり、ヘッドマウントディスプレイ（Head Mounted Display、ＨＭＤ）とも呼ばれる。本実施形態の頭部装着型表示装置１００は、虚像を視認すると同時に外景（外界像）も直接視認可能な光学透過型（いわゆる、シースルー型）の頭部装着型表示装置である。
【００２５】
頭部装着型表示装置１００は、使用者の頭部に装着された状態において使用者に虚像を視認させる画像表示部２０と、画像表示部２０を制御する制御部（コントローラー）１０とを備えている。
【００２６】
画像表示部２０は、使用者の頭部に装着される装着体であり、本実施形態では眼鏡形状を有している。画像表示部２０は、耳掛部２１と、右表示駆動部２２と、左表示駆動部２４と、右光学像表示部２６と、左光学像表示部２８とを含んでいる。耳掛部２１は、右表示駆動部２２及び左表示駆動部２４の端部から使用者の耳の上を横断するように設けられた部材であり、テンプル（つる）として機能する。右光学像表示部２６及び左光学像表示部２８は、使用者が画像表示部２０を装着した状態において、それぞれ使用者の右及び左の眼の前に位置するように配置されている。右表示駆動部２２は、右耳用の耳掛部２１と右光学像表示部２６との接続箇所に配置されている。また、左表示駆動部２４は、左耳用の耳掛部２１と左光学像表示部２８との接続箇所に配置されている。なお、以降では、右表示駆動部２２及び左表示駆動部２４を総称して単に「表示駆動部」と呼び、右光学像表示部２６及び左光学像表示部２８を総称して単に「光学像表示部」と呼ぶ。
【００２７】
表示駆動部は、図示しない駆動回路や、ＬＣＤ（液晶ディスプレイ）や、投写光学系等を含む。光学像表示部は、図示しない導光板と調光板とを含む。導光板は、光透過性の樹脂材料等によって形成され、表示駆動部から取り込んだ画像光を使用者の眼に向けて射出させる。調光板は、薄板状の光学素子であり、画像表示部２０の表側（使用者の眼の側とは反対の側）を覆うように配置されている。調光板は、導光板を保護し、導光板の損傷や汚れの付着等を抑制するとともに、調光板の光透過率を調整することにより、使用者の眼に入る外光量を調節し、虚像の視認のし易さを調整することができる。なお、調光板は省略可能である。
【００２８】
画像表示部２０は、更に、右耳用の右イヤホン３２及び左耳用の左イヤホン３４及びを有する。右イヤホン３２及び左イヤホン３４は、使用者が画像表示部２０を装着した再に、それぞれ右及び左の耳に装着される。
【００２９】
画像表示部２０は、更に、画像表示部２０を制御部１０に接続するための接続部４０を備える。接続部４０は、制御部１０に接続される本体コード４８と、本体コード４８が２本に分岐した右コード４２及び左コード４４と、分岐部に設けられた連結部材４６とを含んでいる。右コード４２は右表示駆動部２２に接続されており、左コード４４は左表示駆動部２４に接続されている。画像表示部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とを接続／切り離しを行うことができる。本体コード４８、右コード４２及び左コード４４には、金属ケーブルや光ファイバーを採用することができる。
【００３０】
制御部１０は、頭部装着型表示装置１００に電源を供給し、画像表示部２０を制御するための装置である。制御部１０は、点灯部１２と、タッチパッド１４と、キーボード１６と、電源スイッチ１８とを含む。点灯部１２は、画像表示部２０の動作状態（例えば、電源のＯＮ／ＯＦＦ状態）を、その発光状態によって通知する。点灯部１２としては、ＬＥＤ等の光源を用いることができる。タッチパッド１４は、タッチパッド１４の操作面上での使用者の指の操作を検出して、検出内容に応じた信号を出力する。キーボード１６は、文字入力用の複数のキーが配置（配列）されたキーボードであり、キーボード１６上の各キーへの押下操作（キー入力）を検出して、検出内容に応じた信号を出力する。本実施形態ではキーボード１６として、いわゆるｑｗｅｒｔｙ配列のキーボードを採用している。電源スイッチ１８は、スイッチのスライド操作を検出することで、頭部装着型表示装置１００の電源投入状態を切り替える。
【００３１】
図２は、本実施形態の制御部（コントローラー）１０に設けられたキーボードの構成の一例を示す図である。本実施形態の頭部装着型表示装置１００は、キーボード１６上の一部のキーに文字入力の機能とは異なる機能を割り当て可能に構成されている。
【００３２】
図２に示す例では、キーボード１６上の８個のキー１６ａ〜１６ｈに文字入力の機能とは異なる機能を割り当て可能に構成されている。具体的には、キーボード１６上の「Ｗ」キー１６ａ、「Ｚ」キー１６ｂ、「Ａ」キー１６ｃ、「Ｄ」キー１６ｄに、上下左右の方向を入力するための方向キー（十字キー）としての機能を割り当て可能に構成され、キーボード上の「Ｉ」キー１６ｅ、「Ｍ」キー１６ｆ、「Ｊ」キー１６ｇ、「Ｌ」キー１６ｈに、機能ボタン（ファンクションボタン、例えば、決定ボタン、取り消しボタン等の機能を有するボタン）としての機能を割り当て可能に構成されている。なお、方向キー（十字キー）としての機能を割り当て可能な、前記４個の「Ｗ」キー１６ａ、「Ｚ」キー１６ｂ、「Ａ」キー１６ｃ、「Ｄ」キー１６ｄは、「Ｓ」キーを中心に、その上下、左右に十字キー配置されている。
【００３３】
更に図２に示す例では、これら文字入力の機能とは異なる機能を割り当て可能な８個のキー１６ａ〜１６ｈは、キーの高さ（キートップの高さ）が他のキーよりも高くなるように形成されている。従って、使用者は、これら８個のキー１６ａ〜１６ｈに方向キーや機能ボタンとしての機能が割り当てられた場合に、キーボード１６を直視しなくても、これら８個のキー１６ａ〜１６ｈを他のキーと区別して操作することができ、これら８個のキー１６ａ〜１６ｈの操作性を向上することができる。なお、図２に示す例では、８個のキー１６ａ〜１６ｈのキーの高さを略同一としているが、他のキーと区別可能であれば、８個のキー１６ａ〜１６ｈのキーのそれぞれの高さが異なるように構成してもよい。
【００３４】
使用者の頭部に装着された状態において使用者に虚像を視認させる構成を有する頭部装着型表示装置１００では、虚像を視認しながらキーボード１６を直視することが困難である。従って、方向キーや機能ボタンとしての機能が割り当てられた一部のキーの高さやキートップの形状を異ならせることで、当該一部のキーを直視せずに操作できることは、特に頭部装着型表示装置１００において有効である。
【００３５】
図３は、本実施形態の制御部（コントローラー）１０に設けられたキーボードの構成の他の例を示す図である。
【００３６】
図３に示す例では、図２に示す例と同様に、キーボード１６上の４個のキー１６ａ〜１６ｄに、方向キー（十字キー）としての機能を割り当て可能に構成され、４個のキー１６ｅ〜１６ｈに、機能ボタン（ファンクションボタン）としての機能を割り当て可能に構成されている。但し、図３の例では、これら文字入力の機能とは異なる機能を割り当て可能な８個のキー１６ａ〜１６ｈは、キートップの形状が他のキーとは異なるように形成されている。具体的には、４個のキー１６ａ〜１６ｄについては、キートップの形状が三角形に形成され、４個のキー１６ｅ〜１６ｈについては、キートップの形状が円形に形成されているのに対して、その他のキーについては、キートップの形状が矩形に形成されている。図３のように構成した場合であっても、使用者は、これら８個のキー１６ａ〜１６ｈに方向キーや機能ボタンとしての機能が割り当てられた場合に、キーボード１６を直視しなくても、これら８個のキー１６ａ〜１６ｈを他のキーと区別して操作することができ、これら８個のキー１６ａ〜１６ｈの操作性を向上することができる。
【００３７】
図４は、頭部装着型表示装置１００の構成を機能的に示す機能ブロック図である。制御部１０は、操作部１１０（本実施形態では、タッチパッド１４、キーボード１６、電源スイッチ１８）と、記憶部１２０と、電源１３０と、ＣＰＵ１４０と、インターフェイス１８０と、送信部（Ｔｘ）５１、５２とを備え、各部は図示しないバスにより相互に接続されている。
【００３８】
記憶部１２０は、ＲＯＭ、ＲＡＭ、ＤＲＡＭ、ハードディスク等を含む記憶部である。電源１３０は、頭部装着型表示装置１００の各部に電源を供給する。電源１３０としては、例えば二次電池を用いることができる。
【００３９】
ＣＰＵ１４０は、予めインストールされたプログラムを実行することで、オペレーティングシステム（ＯＳ）１５０として機能を提供する。また、ＣＰＵ１４０は、ＲＯＭやハードディスクに格納されているファームウェアやコンピュータープログラムをＲＡＭに展開して実行することにより、画像処理部１６０、音声処理部１７０、表示制御部１９０、操作制御部１９２としても機能する。
【００４０】
インターフェイス１８０は、制御部１０に対して、コンテンツの供給元となる種々の外部機器ＯＡ（例えば、パーソナルコンピューター（ＰＣ）や携帯電話端末、ゲーム端末）を接続するためのインターフェイスである。インターフェイス１８０としては、例えば、ＵＳＢインターフェイスや、メモリーカード用インターフェイス、無線ＬＡＮインターフェイス等を備える。コンテンツとは、画像（静止画像、動画像）や音声等からなる情報内容を意味する。
【００４１】
画像処理部１６０は、インターフェイス１８０を介して入力されるコンテンツに基づき、クロック信号、垂直同期信号、水平同期信号、画像データーを生成し、接続部４０を介してこれらの信号を画像表示部２０に供給する。具体的には、画像処理部１６０は、コンテンツに含まれる画像信号を取得する。取得した画像信号は、例えば動画像の場合、一般的に１秒あたり３０枚のフレーム画像から構成されているアナログ信号である。画像処理部１６０は、取得した画像信号から、垂直同期信号や水平同期信号等の同期信号を分離する。また、画像処理部１６０は、分離した垂直同期信号や水平同期信号の周期に応じて、ＰＬＬ回路（図示省略）等を利用してクロック信号を生成する。
【００４２】
画像処理部１６０は、同期信号が分離されたアナログ信号を、Ａ／Ｄ変換器（図示省略
）を用いてディジタル画像信号に変換する。その後、画像処理部１６０は、変換後のディジタル画像信号を、対象画像の画像データー（ＲＧＢデーター）として、１フレーム毎に記憶部１２０内のＤＲＡＭに格納する。なお、画像処理部１６０は、必要に応じて、画像データーに対して、解像度変換処理、輝度や彩度の調整といった種々の色調補正処理、キーストーン補正処理等の画像処理を実行してもよい。
【００４３】
画像処理部１６０は、生成したクロック信号、垂直同期信号、水平同期信号、記憶部１２０内のＤＲＡＭに格納された画像データーとを、送信部５１、５２を介してそれぞれ送信する。なお、送信部５１を介して送信される画像データーを「右眼用画像データー」と呼び、送信部５２を介して送信される画像データーを「左眼用画像データー」と呼ぶ。送信部５１、５２は、制御部１０と画像表示部２０との間におけるシリアル伝送のためのトランシーバーとして機能する。
【００４４】
表示制御部１９０は、右表示駆動部２２及び左表示駆動部２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦなどを、個別に制御することにより、右表示駆動部２２及び左表示駆動部２４のそれぞれによる画像光の生成及び射出を制御する。
【００４５】
表示制御部１９０は、右ＬＣＤ制御部２１１及び左ＬＣＤ制御部２１２に対する制御信号を送信部５１、５２を介してそれぞれ送信する。また、表示制御部１９０は、右バックライト制御部２０１及び左バックライト制御部２０２に対する制御信号を送信部５１、５２を介してそれぞれ送信する。
【００４６】
操作制御部１９２は、操作部１１０からの検出データーを取得し、取得した検出データーに応じた処理をＯＳ１５０（例えば、ＯＳ１５０にインストールされた各種アプリケーション）に行わせる。操作制御部１９２は、キーボード１６上の各キーに割り当てる機能を設定し、キーボード１６においてキー入力が行われたキーに割り当てられた機能に応じた処理をＯＳ１５０に行わせる。
【００４７】
特に、本実施形態の操作制御部１９２は、所与の割当変更条件が満たされた場合に、キーボード１６上の一部のキー（本実施形態では、８個のキー１６ａ〜１６ｈ）に割り当てる機能を、文字入力の機能から、文字入力の機能とは異なる機能に変更する処理を行う。具体的には、操作制御部１９２は、所与の割当変更条件が満たされたと判断した場合に、４個のキー１６ａ〜１６ｄに割り当てる機能を、方向キー（十字キー）としての機能に変更し、４個のキー１６ｅ〜１６ｈに割り当てる機能を、機能ボタン（ファンクションボタン）としての機能に変更する。なお、割当変更条件が満たされ、８個のキー１６ａ〜１６ｈに割り当てる機能を変更した場合には、キーボード上の他のキーの機能を無効とする（当該他のキーに対するキー入力があっても、当該キー入力に応じた処理を行わない）ようにしてもよい。
【００４８】
なお、操作制御部１９２は、制御部１０に設けられた割当変更用の操作キー（図示省略）へのキー入力があった場合に、割当変更条件が満たされたと判断して、キーボード１６上の一部のキーに割り当てる機能を特殊キー（方向キーや機能ボタン）の機能に変更し、当該操作キーへの再度のキー入力があった場合に、キーボード１６上の全てのキーの機能を文字入力の機能に戻すようにしてもよい。
【００４９】
また、操作制御部１９２は、ＯＳ１５０にインストールされた各種アプリケーションの動作状況に基づき割当変更条件が満たされたか否かを判断してもよい。例えば、方向キーと機能ボタンによる操作を必要とする特定のアプリケーション（例えば、ゲームコントローラーによる操作を必要とするゲーム用アプリケーション）が起動された場合に、割当変更条件が満たされたと判断して、キーボード１６上の一部のキーに割り当てる機能を方向キーや機能ボタンの機能に変更してもよい。また、文字入力による操作を必要とする特定のアプリケーション（例えば、メール用アプリケーション）が起動された場合に、キーボード１６上の全てのキーに割り当てる機能を文字入力の機能に変更してもよい。
【００５０】
また、操作制御部１９２は、実行中のアプリケーションにおいて、方向キーと機能ボタンによる操作を必要とする状況（例えば、アプリケーションのメニュー画面において、項目を選択して決定或いは取り消しの操作を行う状況）となった場合に、キーボード１６上の一部のキーに割り当てる機能を方向キーや機能ボタンの機能に変更し、文字入力による操作を必要とする状況（例えば、Ｗｅｂブラウズ用のアプリケーションにおいて、検索用キーワードを入力する状況）となった場合に、キーボード１６上の全てのキーに割り当てる機能を文字入力の機能に変更してもよい。
【００５１】
ここで、表示制御部１９０は、操作制御部１９２によってキーボード１６上の一部のキーに割り当てる機能が変更された場合に、外界像の視認性を変化させる制御を行ってもよい。具体的には、表示制御部１９０は、キーボード１６上の一部のキーに特殊キーの機能を割り当てる特殊キー優先モードにおいては、画像光の輝度を向上させて使用者に虚像を優先して（或いは、使用者に虚像と外景（外界像）とを重畳した状態で）視認させる（外界像の視認性を低下させる）ように右バックライト２２１及び左バックライト２２２の制御を行い、キーボード１６上の全てのキーに文字入力の機能を割り当てる文字入力優先モードにおいては、画像光の輝度を低下させて使用者に外景（外界像）を優先して視認させる（外界像の視認性を向上させる）ように右バックライト２２１及び左バックライト２２２の制御を行うようにしてもよい。このようにすると、キーボード１６を直視しなくても一部のキー（８個のキー１６ａ〜１６ｈ）の操作を容易に行うことができる特殊キー優先モードにおいては、虚像を視認させ易くし、キーボード１６を直視しなければキー入力を行うことが困難な文字入力優先モードにおいては、外景としてのキーボード１６を視認させ易くすることができ、利便性を向上することができる。
【００５２】
また、表示制御部１９０は、外界像として視認されるキーボード１６と虚像との位置関係に応じて外界像の視認性を変化させる制御を行ってもよい。また、表示制御部１９０は、操作制御部１９２によってキーボード１６上の一部のキーに文字入力の機能が割り当てられ、且つ、外界像として視認されるキーボード１６と虚像とが重複する位置関係である場合に、外界像の視認性を向上させる制御を行ってもよい。例えば、画像表示部２０に、使用者の視野方向を撮像する撮像部（カメラ）を設けておき、表示制御部１９０が、当該撮像部から出力された撮像画像中のキーボードの位置に基づいて、使用者の視野において虚像とキーボードが重複しているかを判断し、虚像とキーボードが重複していると判断した場合に、画像光の輝度を低下させて使用者に外界像を優先して視認させる（外界像の視認性を向上させる）ように右バックライト２２１及び左バックライト２２２の制御を行うようにしてもよい。この場合に、表示制御部１９０は、虚像とキーボードとの重複部分についてのみ外界像の視認性を向上させるように右ＬＣＤ制御部２１１及び左ＬＣＤ制御部２１２の制御を行うようにしてもよい。このようにすると、文字入力優先モードにおいて、虚像と重なるキーボード１６の視認性を向上させることができ、利便性を向上することができる。
【００５３】
また、画像処理部１６０が、タッチパッド１４への入力により操作可能なソフトキーボード（仮想キーボード）の画像を生成し、虚像として使用者に視認させるように構成してもよい。例えば、タッチパッド１４の入力時には、ソフトキーボードを虚像として表示させ、キーボード１６の操作時には、ソフトキーボードを表示させないようにしてもよい。表示制御部１９０は、タッチパッド１４の入力時には、ソフトキーボードが強調表示されるような制御を行ってもよい。また、画像処理部１６０は、キーボード１６上の一部のキーに方向キーの機能を割り当てる特殊キー優先モードにおいて、当該一部のキーの入力時には、当該一部のキーへの入力により操作可能なポインター（例えば、カーソル）の画像を生成し、虚像として使用者に視認させてもよい。
【００５４】
音声処理部１７０は、コンテンツに含まれる音声信号を取得し、取得した音声信号を増幅して、画像表示部２０の右イヤホン３２及び左イヤホン３４に接続部４０を介して供給する。
【００５５】
画像表示部２０は、右表示駆動部２２と、左表示駆動部２４と、右光学像表示部２６を構成する右導光板２６１と、左光学像表示部２８を構成する左導光板２６２と、右イヤホン３２と、左イヤホン３４とを備えている。
【００５６】
右表示駆動部２２は、受信部（Ｒｘ）５３と、光源として機能する右バックライト（ＢＬ）制御部２０１及び右バックライト２２１と、表示素子として機能する右ＬＣＤ制御部２１１及び右ＬＣＤ２４１と、右投写光学系２５１とを含んでいる。なお、右バックライト制御部２０１と、右ＬＣＤ制御部２１１と、右バックライト２２１と、右ＬＣＤ２４１とを総称して「画像光生成部」と呼ぶ。
【００５７】
受信部５３は、制御部１０と画像表示部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。右ＬＣＤ制御部２１１は、受信部５３を介して入力されたクロック信号と、垂直同期信号と、水平同期信号と、右眼用画像データーとに基づいて、右ＬＣＤ２４１を駆動する機能を有する。右ＬＣＤ２４１は、複数の画素をマトリクス状に配置した透過型液晶パネルである。画像光生成部は、右ＬＣＤ２４１のマトリクス状に配置された各画素位置に対応する液晶を駆動することによって、右ＬＣＤ２４１を透過する光の透過率を変化させることにより、右バックライト２２１から照射される照明光を画像を表す有効な画像光へと変調する機能を有する。なお、本実施形態の画像光生成部ではバックライト方式を採用しているが、フロントライト方式や反射方式を用いて画像光を生成する構成としてもよい。右投写光学系２５１は、右ＬＣＤから射出された画像光を平行状態の光束にするコリメートレンズにより構成される。右導光板２６１は、右投写光学系２５１から射出された画像光を、所定の光路に沿って反射させつつ使用者の右眼ＲＥに導く。なお、右投写光学系２５１と、右導光板２６１とを総称して「導光部」と呼ぶ。
【００５８】
左表示駆動部２４は、受信部（Ｒｘ）５４と、光源として機能する左バックライト（ＢＬ）制御部２０２及び左バックライト２２２と、表示素子として機能する左ＬＣＤ制御部２１２及び左ＬＣＤ２４２と、左投写光学系２５２とを含んでいる。なお、左バックライト制御部２０２と、左ＬＣＤ制御部２１２と、左バックライト２２２と、左ＬＣＤ２４２とを総称して「画像光生成部」と呼ぶ。また、左投写光学系２５２と、左導光板２６２とを総称して「導光部」と呼ぶ。右表示駆動部２２と左表示駆動部２４とは対になっており、左表示駆動部２４の各部は、右表示駆動部２２で説明した各部と同様の構成及び機能を有するため、詳細な説明は省略する。左導光板２６２は、左投写光学系２５２から射出された画像光を、所定の光路に沿って反射させつつ使用者の左眼ＬＥに導く。
【００５９】
図５は、使用者に視認される虚像の一例を示す説明図である。上述のようにして、頭部装着型表示装置１００を装着した使用者の両眼に導かれた画像光が使用者の両眼の網膜に結像することにより、使用者は虚像を視認することができる。図５に示すように、頭部装着型表示装置１００の使用者の視野ＶＲ内には、虚像ＶＩが表示される。また、使用者の視野ＶＲのうち、虚像ＶＩが表示された部分以外については、使用者は、右光学像表示部２６及び左光学像表示部２８を透過して、外景ＳＣ（外界像）を見ることができる。なお、本実施形態の頭部装着型表示装置１００では、使用者の視野ＶＲの内の虚像ＶＩが表示された部分についても、虚像ＶＩの背後に外景ＳＣが透けて見えるように構成されている。すなわち、本実施形態の頭部装着型表示装置１００では、使用者が虚像ＶＩと外景ＳＣ（外界像）とを重畳した状態で視認可能に構成されている。
【００６０】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【００６１】
例えば、上記実施形態では、制御部（コントローラー）１０と画像表示部２０とを別体で構成する場合について説明したが、制御部１０を画像表示部２０に対して取り付け／取り外し可能に構成してもよい。また、上記実施形態では、本発明を頭部装着型表示装置に適用する場合について説明したが、本発明は、文字入力用の複数のキーが配置されたキーボードを備えた電子機器であれば、どのような電子機器にも適用することができる。
【００６２】
また、上記実施形態では、文字入力の機能とは異なる機能を割り当てられるキーボード上の一部のキーを他のキーと識別可能に形成する例として、当該一部のキーのキートップの高さ又は形状を他のキーとは異なるように形成する場合について説明したが、本発明はこれに限られず、使用者が直視せずに当該一部のキーを他のキーと識別できれば当該一部のキーをどのように形成してもよい。例えば、当該一部のキーのキートップに、他のキーにはない凹状の窪み又は凸状の突起等を設けてもよいし、当該一部のキーの材質、硬さ、表面の粗さ等を他のキーとは異なるようにしてもよい。また、当該一部のキーの押下方向が他のキーとは異なるように構成してもよい。例えば、当該一部のキーをコントローラー（例えば、キーボードが設けられた腕時計型のコントローラー）の側面に設け、他のキーをコントローラーの表面に設けてもよい。
【符号の説明】
【００６３】
１０  制御部、１２  点灯部、１４  タッチパッド、１６  キーボード、１８  電源スイッチ、２０  画像表示部、２１  耳掛部、２２  右表示駆動部、２４  左表示駆動部、２６  右光学像表示部、２８  左光学像表示部、３２  右イヤホン、３４  左イヤホン、４０  接続部、４２  右コード、４４  左コード、４６  連結部材、４８  本体コード、５１，５２  送信部、５３，５４  受信部、１００  頭部装着型表示装置、１１０  操作部、１２０  記憶部、１３０  電源、１６０  画像処理部、１７０  音声処理部、１８０  インターフェイス、１９０  表示制御部、１９２  操作制御部、２０１  右バックライト制御部、２０２  左バックライト制御部、２１１  右ＬＣＤ制御部、２１２  左ＬＣＤ制御部、２２１  右バックライト、２２２  左バックライト、２４１  右ＬＣＤ、２４２  左ＬＣＤ、２５１  右投写光学系、２５２  左投写光学系、２６１  右導光板、２６２  左導光板
【図１】
2013201636.tif 000003
【図２】
2013201636.tif 000004
【図３】
2013201636.tif 000005
【図４】
2013201636.tif 000006
【図５】
2013201636.tif 000007